【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
少なくとも通常モード、水中モード、及び水上モードを含む複数の撮影モードを有する撮像装置であって、
ユーザからの操作入力を受け付ける操作手段と、
前記複数の撮影モードを切り替えて前記撮像装置に設定するモード変更手段と、を有し、
前記モード変更手段は、現在設定されている撮影モードが前記水中モードまたは前記水上モードである場合に、前記操作手段により予め定められた操作入力が受け付けられたことに応じて、前記水中モードと前記水上モードとを切り替える
ことを特徴とする撮像装置。
【請求項２】
前記予め定められた操作入力は、前記撮像装置を起動させるための操作入力であることを特徴とする請求項１に記載の撮像装置。
【請求項３】
前記予め定められた操作入力は、前記撮像装置を起動させるための操作入力とともになされる特定の操作入力であることを特徴とする請求項１または２に記載の撮像装置。
【請求項４】
前記予め定められた操作入力は、前記撮像装置の起動の後、撮影待機状態に至るまでの予め定められた期間内になされる特定の操作入力であることを特徴とする請求項１に記載の撮像装置。
【請求項５】
前記モード変更手段は、前記予め定められた操作入力がなされることで、撮影モードの切り替えが可能であることを前記予め定められた期間、報知することを特徴とする請求項４に記載の撮像装置。
【請求項６】
前記予め定められた操作入力は、撮影待機状態における、撮影モードの設定を行うためのメニュー画面の表示指示とともになされる特定の操作であることを特徴とする請求項１乃至５のいずれか１項に記載の撮像装置。
【請求項７】
前記予め定められた操作入力は、前記撮像装置を起動させるための操作部材に対する操作入力であることを特徴とする請求項１乃至６のいずれか１項に記載の撮像装置。
【請求項８】
前記予め定められた操作入力は、前記撮像装置を起動させるための操作部材と、撮影を指示するための操作部材への操作入力であることを特徴とする請求項１乃至７のいずれか１項に記載の撮像装置。
【請求項９】
前記水中モード及び前記水上モードは、前記撮像装置が防水ケースに入れられた際に使用されるモードであることを特徴とする請求項１乃至８のいずれか１項に記載の撮像装置。
【請求項１０】
前記水中モード及び前記水上モードは、前記操作手段により操作入力が検出される操作部材のうち、使用可能な操作部材を限定するモードであることを特徴とする請求項１乃至９のいずれか１項に記載の撮像装置。
【請求項１１】
前記モード変更手段は、前記水中モードまたは前記水上モードが設定されている場合に、前記予め定められた操作入力に応じて、前記水中モードと前記水上モード以外のモードには切り替えないことを特徴とする請求項１乃至１０のいずれか１項に記載の撮像装置。
【請求項１２】
複数の撮影モードを有する撮像装置であって、
前記複数の撮影モードの１つを前記撮像装置に設定する設定手段と、
前記複数の撮影モードのうち、関連性がある複数の撮影モードを関連付けて管理する管理手段と、
ユーザからの操作入力を受け付ける操作手段と、
撮影モードの設定を行うためのメニュー画面の表示指示が前記操作手段により受け付けられた場合に、メニュー画面を表示手段に表示させる表示制御手段と、を有し、
前記表示制御手段は、前記表示指示を前記操作手段が受け付けた場合に、前記撮像装置に現在設定されている撮影モードと関連付けて管理されている撮影モードがある場合、前記メニュー画面にて選択可能に表示する撮影モードの順序を制御して、前記現在設定されている撮影モードに関連付けて管理されている撮影モードを前記メニュー画面の上位に表示する
ことを特徴とする撮像装置。
【請求項１３】
前記表示制御手段は、前記撮像装置が撮影待機状態において前記表示手段に表示するスルー表示と並行して、前記メニュー画面を表示することを特徴とする請求項１２記載の撮像装置。
【請求項１４】
前記操作手段により受け付けられた操作入力により、前記メニュー画面にて選択可能に表示されている撮影モードの１つが選択された場合に、前記選択された撮影モードを一時的に前記撮像装置に設定する設定手段をさらに有することを特徴とする請求項１２または１３に記載の撮像装置。
【請求項１５】
少なくとも通常モードと関連性のある複数の特定の撮影モードとを含む複数の撮影モードを有する撮像装置であって、
ユーザからの操作入力を受け付ける操作手段と、
前記複数の撮影モードを切り替えて前記撮像装置に設定するモード変更手段と、を有し、
前記モード変更手段は、
現在設定されている撮影モードが前記特定の撮影モードである場合に、前記操作手段により予め定められた操作入力が受け付けられたことに応じて、前記特定の撮影モードのうち、前記現在設定されている撮影モードとは異なる、他の特定の撮影モードに切り替え、
前記現在設定されている撮影モードが前記通常モードである場合に、前記操作手段により前記予め定められた操作入力が受け付けられたとしても、モードを切り替えずに前記通常モードを継続する
ことを特徴とする撮像装置。
【請求項１６】
少なくとも通常モード、水中モード、及び水上モードを含む複数の撮影モードを有する撮像装置の制御方法であって、
前記撮像装置の操作手段が、ユーザからの操作入力を受け付ける操作工程と、
前記撮像装置のモード変更手段が、前記複数の撮影モードを切り替えて前記撮像装置に設定するモード変更工程と、を有し、
前記モード変更手段は前記モード変更工程において、現在設定されている撮影モードが銭水中モードまたは前記水上モードである場合に、前記操作手段により予め定められた操作入力が受け付けられたことに応じて、前記水中モードと前記水上モードとを切り替える
ことを特徴とする撮像装置の制御方法。
【請求項１７】
複数の撮影モードを有する撮像装置の制御方法であって、
前記撮像装置の設定手段が、前記複数の撮影モードの１つを前記撮像装置に設定する設定工程と、
前記撮像装置の管理手段が、前記複数の撮影モードのうち、関連性がある複数の撮影モードを関連付けて管理する管理工程と、
前記撮像装置の操作手段が、ユーザからの操作入力を受け付ける操作工程と、
前記撮像装置の表示制御手段が、撮影モードの設定を行うためのメニュー画面の表示指示が前記操作工程において受け付けられた場合に、メニュー画面を表示手段に表示させる表示制御工程と、を有し、
前記表示制御手段は前記表示制御工程において、前記表示指示を前記操作工程で受け付けた場合に、前記撮像装置に現在設定されている撮影モードと関連付けて管理されている撮影モードがある場合、前記メニュー画面にて選択可能に表示する撮影モードの順序を制御して、前記現在設定されている撮影モードに関連付けて管理されている撮影モードを前記メニュー画面の上位に表示する
ことを特徴とする撮像装置の制御方法。
【請求項１８】
少なくとも通常モードと、関連性のある複数の特定の撮影モードとを含む複数の撮影モードを有する撮像装置の制御方法であって、
前記撮像装置の操作手段が、ユーザからの操作入力を受け付ける操作工程と、
前記撮像装置のモード変更手段が、前記複数の撮影モードを切り替えて前記撮像装置に設定するモード変更工程と、を有し、
前記モード変更手段は前記モード変更工程において、
現在設定されている撮影モードが前記特定の撮影モードである場合に、前記操作工程において予め定められた操作入力が受け付けられたことに応じて、前記特定の撮影モードのうち、前記現在設定されている撮影モードとは異なる、他の特定の撮影モードに切り替え、
前記現在設定されている撮影モードが前記通常モードである場合に、前記操作工程において前記予め定められた操作入力が受け付けられたとしても、モードを切り替えずに前記通常モードを継続する
ことを特徴とする撮像装置の制御方法。
【請求項１９】
コンピュータを、請求項１乃至１５のいずれか１項に記載の撮像装置の各手段として機能させるためのプログラム。
【手続補正２】
【補正対象書類名】明細書
【補正対象項目名】０００９
【補正方法】変更
【補正の内容】
【０００９】
前述の目的を達成するために、本発明の撮像装置は、以下の構成を備える。
少なくとも通常モードと、関連性のある複数の特定の撮影モードとを含む複数の撮影モードを有する撮像装置であって、ユーザからの操作入力を受け付ける操作手段と、複数の撮影モードを切り替えて撮像装置に設定するモード変更手段と、を有し、モード変更手段は、現在設定されている撮影モードが水中モードまたは水上モードである場合に、操作手段により予め定められた操作入力が受け付けられたことに応じて、水中モードと水上モードとを切り替えることを特徴とする。